(57)【要約】【課題】  商業施設の利用者に対して、商業施設の最寄り駅から自宅の最寄り駅までの乗車券を無償で提供する二次元コードを活用した交通機関用出改札処理方法及びそのシステムを提供する。【解決手段】  二次元コードを活用した交通機関用出改札処理方法において、最寄の駅１１の商業施設で、利用者４が買い物を行い、レジスター２がレシート３にその購入金額に応じた乗車券と引き換えられる二次元コードクーポン３Ａを印刷し、店員は釣銭とともに、前記二次元コードクーポン３Ａが印刷されたレシート３を利用者４に提供し、利用者４は商業施設最寄りの駅１１で、レシート３に印刷された二次元コードクーポン３Ａを券売機１２の二次元コードリーダ１３に読み取らせて二次元コード乗車券１５を発券させて、この二次元コード乗車券１５で最寄りの駅１１から入場し、利用者４の到着駅で利用者４は改札機に二次元コード乗車券１５を読み取らせて駅を出場するようにした。【選択図】  図２
2013210789.tif 000002
【特許請求の範囲】
【請求項１】
最寄の駅の商業施設で、利用者が買い物を行い、レジスターがレシートにその購入金額に応じた乗車券と引き換えられる二次元コードクーポンを印刷し、店員は釣銭とともに、前記二次元コードクーポンが印刷されたレシートを利用者に提供し、利用者は商業施設最寄りの駅で、レシートに印刷された二次元コードクーポンを券売機の二次元コードリーダに読み取らせて二次元コード乗車券を発券させて、該二次元コード乗車券で最寄りの駅から入場し、利用者の到着駅で利用者は改札機に二次元コード乗車券を読み取らせて駅を出場するようにしたことを特徴とする二次元コードを活用した交通機関用出改札処理方法。
【請求項２】
請求項１記載の二次元コードを活用した交通機関用出改札処理方法において、前記券売機は、利用者による複数枚の二次元コードクーポンが印刷されたレシートが二次元コードリーダで読み込まれる場合には、前記複数枚の二次元コードクーポンに記録されている引き換え可能なバリューを加算し、その加算されたバリューに対応する二次元コード乗車券を出力することを特徴とする二次元コードを活用した交通機関用出改札処理方法。
【請求項３】
二次元コードを活用した交通機関用出改札処理方法において、商業施設としての店舗で買物を行ったときに受け取るレシートに、乗車券と引き換えられる二次元コードクーポンを印刷し、前記二次元コードクーポンを利用者の携帯端末を使うか、または駅の券売機を利用することにより、交通機関の乗車券を発行することを特徴とする二次元コードを活用した交通機関用出改札処理方法。
【請求項４】
商業施設のレジスターは、レシートに印刷した二次元コードクーポンを記録し、商業施設でその情報を管理する手段と、前記二次元コードクーポン付きのレシートで得られた二次元コード乗車券には発駅として最寄りの駅を、着駅として利用者の目的の駅の情報を記録する手段と、二次元コード乗車券の発駅情報と一致する駅の自動改札機は、その乗車券を判定ＯＫとして入場を許可し、それ以外の駅の自動改札機は、判定ＮＧとして入場を認めないようにした改札処理手段と、二次元コード乗車券の着駅情報と一致する駅の自動改札機は、前記二次元コード乗車券を判定ＯＫとして出場を許可し、それ以外の駅の自動改札機は、判定ＮＧとして出場を認めないようにした改札処理手段と、発駅および着駅の自動改札機は一度使用された二次元コード乗車券の情報を記録し、二重使用を防止する手段と、商業施設で管理する発行済み乗車券の情報と、交通事業者が管理する使用済み乗車券の情報を付き合わせて精算する手段とを具備することを特徴とする二次元コードを活用した交通機関用出改札処理システム。
【請求項５】
請求項４記載の二次元コードを活用した交通機関用出改札処理システムにおいて、利用者による複数枚の二次元コードクーポンが印刷されたレシートが券売機の二次元コードリーダで読み込まれる場合には、その複数枚の二次元コードクーポンに記録されている引き換え可能なバリューを加算し、その加算されたバリューに対応する二次元コード乗車券を出力することを特徴とする二次元コードを活用した交通機関用出改札処理システム。
【請求項６】
請求項４又は５記載の二次元コードを活用した交通機関用出改札処理システムにおいて、券売機に読み取らせた二次元コードクーポンを伝送基地局および携帯端末情報伝送装置を介して乗車券情報管理サーバに伝送し、該乗車券情報管理サーバから二次元コード乗車券情報が前記券売機に転送されて、二次元コード乗車券を発行することを特徴とする二次元コードを活用した交通機関用出改札処理システム。
【請求項７】
請求項４記載の二次元コードを活用した交通機関用出改札処理システムにおいて、携帯端末で電子乗車券の二次元コード乗車券もしくはＩＣ乗車券に交換するときは、携帯端末に読み取らせたクーポンの情報を伝送基地局および携帯端末情報伝送装置を介して乗車券情報管理サーバに伝送し、該乗車券情報管理サーバから電子乗車券情報が携帯端末に転送されて、電子乗車券情報が記録できるＩＣチップが搭載されている場合はＩＣチップに乗車券情報が記録され、ＩＣチップが搭載されていない場合はディスプレイに二次元コード乗車券情報が表示されることを特徴とする二次元コードを活用した交通機関用出改札処理システム。
【請求項８】
請求項７記載の二次元コードを活用した交通機関用出改札処理システムにおいて、携帯端末において、二次元コード乗車券情報をディスプレイに表示する場合はディスプレイに表示された二次元コードを改札機にかざし、乗車券情報をＩＣチップに記録する場合は前記ＩＣチップに記録された携帯端末を改札機にかざすことを特徴とする二次元コードを活用した交通機関用出改札処理システム。
【請求項９】
請求項４記載の二次元コードを活用した交通機関用出改札処理システムにおいて、乗車券情報管理サーバは、使われたクーポンおよび発行した乗車券の情報を集計して、店舗に代金を請求（精算）することを特徴とする二次元コードを活用した交通機関用出改札処理システム。
【発明の詳細な説明】
【技術分野】
【０００１】
本発明は、二次元コードを活用した交通機関用出改札処理方法及びそのシステムに関するものである。
【背景技術】
【０００２】
従来、商業施設の利用者に対して、クーポン券を提供して商業施設の利用を活性化することが盛んに行われている。
また、特許出願人は、図５に示すような、二次元コード対応試作改札機とその試作乗車券の開発を行っている（下記非特許文献１参照）。
図５は従来の二次元コード対応試作改札機とその試作乗車券の模式図である。
【０００３】
図５（ａ）に示すように、電車（例えば、ＬＲＴ）には、ドア付きの改札機が配置され、図５（ｂ）に示すように、この改札機は二次元コード乗車券に記録された情報を光学的に読み取り、これにより、磁気乗車券の磁気情報の複雑な読取装置に代替することができる。
【先行技術文献】
【非特許文献】
【０００４】
【非特許文献１】２０１１  特許技術情報  平成２３年１０月発行，Ｅ−８  公益財団法人  鉄道総合技術研究所
【発明の概要】
【発明が解決しようとする課題】
【０００５】
本発明は、商業施設において発行されるクーポン券の交通機関、特に鉄道交通への活用を図ったものであり、商業施設の利用者に対して、商業施設の最寄り駅から自宅の最寄り駅までの乗車券を無償で提供する仕組みを低コストで実現する、二次元コードを活用した交通機関用出改札処理方法及びそのシステムを提供することを目的とする。
【課題を解決するための手段】
【０００６】
本発明は、上記目的を達成するために、
〔１〕二次元コードを活用した交通機関用出改札処理方法において、最寄の駅の商業施設で、利用者が買い物を行い、レジスターがレシートにその購入金額に応じた乗車券と引き換えられる二次元コードクーポンを印刷し、店員は釣銭とともに、二次元コードクーポンが印刷されたレシートを利用者に提供し、利用者は商業施設最寄りの駅で、レシートに印刷された二次元コードクーポンを券売機の二次元コードリーダに読み取らせて二次元コード乗車券を発券させて、この二次元コード乗車券で最寄りの駅から入場し、利用者の到着駅で利用者は改札機に二次元コード乗車券を読み取らせて駅を出場するようにしたことを特徴とする。
【０００７】
〔２〕上記〔１〕記載の二次元コードを活用した交通機関用出改札処理方法において、前記券売機は、利用者による複数枚の二次元コードクーポンが印刷されたレシートが二次元コードリーダで読み込まれる場合には、その複数枚の二次元コードクーポンに記録されている引き換え可能なバリューを加算し、その加算されたバリューに対応する二次元コード乗車券を出力することを特徴とする。
【０００８】
〔３〕二次元コードを活用した交通機関用出改札処理方法において、商業施設としての店舗で買物を行ったときに受け取るレシートに、乗車券と引き換えられる二次元コードクーポンを印刷し、前記二次元コードクーポンを利用者の携帯端末を使うか、または駅の券売機を利用することにより、交通機関の乗車券を発行することを特徴とする。
〔４〕商業施設のレジスターは、レシートに印刷した二次元コードクーポンを記録し、商業施設でその情報を管理する手段と、前記二次元コードクーポン付きのレシートで得られた二次元コード乗車券には発駅として最寄りの駅を、着駅として利用者の目的の駅の情報を記録する手段と、二次元コード乗車券の発駅情報と一致する駅の自動改札機は、その乗車券を判定ＯＫとして入場を許可し、それ以外の駅の自動改札機は、判定ＮＧとして入場を認めないようにした改札処理手段と、二次元コード乗車券の着駅情報と一致する駅の自動改札機は、前記二次元コード乗車券を判定ＯＫとして出場を許可し、それ以外の駅の自動改札機は、判定ＮＧとして出場を認めないようにした改札処理手段と、発駅および着駅の自動改札機は一度使用された二次元コード乗車券の情報を記録し、二重使用を防止する手段と、商業施設で管理する発行済み乗車券の情報と、交通事業者が管理する使用済み乗車券の情報を付き合わせて精算する手段とを具備することを特徴とする。
【０００９】
〔５〕上記〔４〕記載の二次元コードを活用した交通機関用出改札処理システムにおいて、利用者による複数枚の二次元コードクーポンが印刷されたレシートが券売機の二次元コードリーダで読み込まれる場合には、その複数枚の二次元コードクーポンに記録されている引き換え可能なバリューを加算し、その加算されたバリューに対応する二次元コード乗車券を出力することを特徴とする。
【００１０】
〔６〕上記〔４〕又は〔５〕記載の二次元コードを活用した交通機関用出改札処理システムにおいて、券売機に読み取らせた二次元コードクーポンを伝送基地局および携帯端末情報伝送装置を介して乗車券情報管理サーバに伝送し、この乗車券情報管理サーバから二次元コード乗車券情報が前記券売機に転送されて、二次元コード乗車券を発行することを特徴とする。
【００１１】
〔７〕上記〔４〕記載の二次元コードを活用した交通機関用出改札処理システムにおいて、携帯端末で電子乗車券の二次元コード乗車券もしくはＩＣ乗車券に交換するときは、携帯端末に読み取らせたクーポンの情報を伝送基地局および携帯端末情報伝送装置を介して乗車券情報管理サーバに伝送し、この乗車券情報管理サーバから電子乗車券情報が携帯端末に転送されて、電子乗車券情報が記録できるＩＣチップが搭載されている場合はＩＣチップに乗車券情報が記録され、ＩＣチップが搭載されていない場合はディスプレイに二次元コード乗車券情報が表示されることを特徴とする。
【００１２】
〔８〕上記〔７〕記載の二次元コードを活用した交通機関用出改札処理システムにおいて、携帯端末において、二次元コード乗車券情報をディスプレイに表示する場合はディスプレイに表示された二次元コードを改札機にかざし、乗車券情報をＩＣチップに記録する場合は前記ＩＣチップに記録された携帯端末を改札機にかざすことを特徴とする。
〔９〕上記〔４〕記載の二次元コードを活用した交通機関用出改札処理システムにおいて、乗車券情報管理サーバは、使われたクーポンおよび発行した乗車券の情報を集計して、店舗に代金を請求（精算）することを特徴とする。
【発明の効果】
【００１３】
本発明によれば、次のような効果を奏することができる。
（ａ）商業施設の利用者に対して、商業施設の最寄り駅から自宅の最寄り駅までの乗車券を無償で提供する仕組みを低コストで実現することができる。
（ｂ）省エネルギー化や効率化などが注目される時代にあって、磁気式乗車券を用いた出改札システムより、省エネルギー化や省メンテナンス化が期待できる二次元コードを活用した交通機関用出改札処理方法及びそのシステムを提供することができる。
【図面の簡単な説明】
【００１４】
【図１】本発明の第１実施例を示す二次元コードを活用した交通機関用出改札システムの交通機関利用路線を示す模式図である。
【図２】本発明の第１実施例を示す二次元コードを活用した交通機関用出改札システムの模式図である。
【図３】本発明の第１実施例を示す二次元コードを活用した交通機関用出改札システムの動作フローチャートである。
【図４】本発明の第２実施例を示す二次元コードを活用した交通機関用出改札システムの模式図である。
【図５】従来の二次元コード対応試作改札機とその試作乗車券の模式図である。
【発明を実施するための形態】
【００１５】
本発明の二次元コードを活用した交通機関用出改札処理方法は、最寄の駅の商業施設で、利用者が買い物を行い、レジスターがレシートにその購入金額に応じた乗車券と引き換えられる二次元コードクーポンを印刷し、店員は釣銭とともに、二次元コードクーポンが印刷されたレシートを利用者に提供し、利用者は商業施設最寄りの駅で、レシートに印刷された二次元コードクーポンを券売機の二次元コードリーダに読み取らせて二次元コード乗車券を発券させて、この二次元コード乗車券で最寄りの駅から入場し、利用者の到着駅で利用者は改札機に二次元コード乗車券を読み取らせて駅を出場するようにした。
【実施例】
【００１６】
以下、本発明の実施の形態について詳細に説明する。
図１は本発明の第１実施例を示す二次元コードを活用した交通機関用出改札システムの交通機関利用路線を示す模式図、図２はその交通機関用出改札処理システムの模式図である。
これらの図において、１は商業施設としての店舗、２は店舗１のレジスター、３はレジスター２から発行可能な二次元コードクーポン３Ａ付きレシート、４は利用者、１１は駅（例えば、店舗１に最寄りの駅Ａ）、１２は駅１１に設置される券売機、１３は券売機１２に設置される二次元コードリーダ、１４は乗車券の購入ボタンであり、二次元コード１５Ａが印刷された二次元コード乗車券１５を券売機１２で得ることができる。１６は二次元コードリーダ１６Ａを有する二次元コード自動改札機、１７は二次元コード自動改札機１６に接続される乗車券情報伝送装置、１８はその乗車券情報伝送装置１７に接続されるネットワーク、１９はそのネットワーク１８に接続される乗車券情報管理サーバである。
【００１７】
まず、図１に示すように、交通機関として駅Ａ，Ｂ，Ｃ，Ｄ，Ｅを有する鉄道が敷設されており、駅Ａを最寄り駅とする商業施設としての店舗１があり、その店舗１の利用者は交通機関を利用して商業施設としての店舗１へ買物に行くことができる。その場合に、図２に示すように、本発明では、商業施設としての店舗１の利用者４に対して、購入金額が一定額を超える場合、商業施設としての店舗１の最寄り駅Ａから例えば、自宅の最寄り駅Ｄまでの乗車券に引き換え可能なクーポンを無償で提供することができる。
【００１８】
図３は本発明の第１実施例を示す二次元コードを活用した交通機関用出改札システムの動作フローチャートである。
以下、本発明の商業施設と二次元コード出改札システムを活用したシステムの基本的なフローについて図３を参照しながら説明する。
（ａ）駅Ａを最寄り駅とする商業施設である店舗１で、利用者４が買物をする（ステップＳ１）。
【００１９】
（ｂ）利用者４の店舗１での買物の購入金額が一定額を超える場合、乗車券に引き換え可能な二次元コードクーポン３Ａをレシート３に印刷して発行する（ステップＳ２）。
（ｃ）利用者４は店舗１の最寄り駅（駅Ａ）の券売機１２で、レシート３に印刷された二次元コードクーポン３Ａを読み取らせて二次元コード１５Ａが付された二次元コード乗車券（紙券）１５を発券する（ステップＳ３）。その際、券売機１２の二次元コードリーダ１３に二次元コードクーポン３Ａの情報を読み取らせると、読み取られた情報は乗車券情報管理サーバ１９に伝送され、次に乗車券情報管理サーバ１９から伝送された乗車券情報を元に券売機１２は二次元コード乗車券（紙券）１５を発券する。なお、二次元コード乗車券（紙券）１５の代わりに磁気式乗車券を発券すると、現在普及している磁気式自動改札機をそのまま利用することができる。
【００２０】
（ｄ）利用者４は店舗１の最寄り駅（駅Ａ）の二次元コードリーダ１６Ａを有する二次元コード自動改札機１６に、二次元コード乗車券（紙券）１５の二次元コード１５Ａを読み取らせて、最寄りの駅（駅Ａ）から乗車する（ステップＳ４）。
（ｅ）利用者４は到着駅（駅Ｄ）で、二次元コードリーダを有する二次元コード自動改札機に、二次元コード乗車券（紙券）１５の二次元コード１５Ａを読み取らせて、目的の駅（駅Ｄ）で降車する（ステップＳ５）。
【００２１】
上記した第１実施例において、乗車券情報伝送装置１７は基本的には駅単位で設置され、駅の自動改札機１６及び券売機１２と接続させて、通過した利用者４の情報（利用日時や乗車券情報）などが自動改札機１６から伝送されるとともに、利用者４が使用した二次元コードクーポン３Ａの情報や二次元コード乗車券（紙券）１５の発券のための乗車券情報などが発券機１２から伝送される。また、乗車券情報管理サーバ１９は、利用者４が使用した二次元コードクーポン３Ａの有効性、二重使用のチェックなど、クーポンの管理に関する情報と、発券した二次元コード乗車券（紙券）１５の使用状況、二重使用のチェックなど、乗車券の管理に関する情報を一括管理する。
【００２２】
なお、上記した第１実施例では、１枚の二次元コードクーポン３Ａで１枚の二次元コード乗車券（紙券）１５を得るようにしているが、二次元コードクーポン３Ａが複数枚ある場合には、その複数枚の二次元コードクーポン３Ａを発券機１２に読み取らせることにより、各二次元コードクーポン３Ａに記録された引き換え可能なバリューが加算され、より高額な二次元コード乗車券（紙券）１５を得ることができる。
【００２３】
この二次元コードを活用した交通機関用出改札システムは基本的に以下の処理を行う。
（１）店舗１のレジスター２は、レシート３に印刷した二次元コードクーポン３Ａを記録し、店舗１でその情報を管理する。
（２）店舗１で発行するレシート３には、発駅として最寄りの駅１１（駅Ａ）を、着駅としての利用者４の目的の駅（駅Ｄ）の情報を併せて記録することができる。
【００２４】
（３）印刷された二次元コードクーポン３Ａを有するレシート３は、券売機１２の二次元コードリーダ１３で二次元コードクーポン３Ａを読み取らせることにより、券売機１２で二次元コード乗車券１５を発券する。
（４）二次元コード乗車券１５の発駅情報と一致する駅の自動改札機１６は、その二次元コード乗車券１５を判定ＯＫとして入場を許可する。それ以外の駅の自動改札機は、判定ＮＧとして入場を認めない。
【００２５】
（５）二次元コード乗車券１５の着駅情報と一致する駅の自動改札機は、その二次元コード乗車券１５を判定ＯＫとして出場を許可する。それ以外の駅の自動改札機は、判定ＮＧとして出場を認めない。
（６）発駅および着駅の自動改札機は一度使用された二次元コード乗車券１５の情報を記録し、二重使用を防止する。
【００２６】
（７）商業施設としての店舗１で管理する発行済み二次元コードクーポンの情報と、交通機関が管理する使用済み乗車券の情報を付き合わせて精算する。
図４は本発明の第２実施例を示す二次元コードを活用した交通機関用出改札システムの模式図である。
この図において、２０は利用者、２１は商業施設としての店舗のレジスター、２２はレジスター２１から発行可能な二次元コードクーポン２２Ａ付きレシート、２３は利用者２０が所持する携帯端末（携帯電話、スマートホーンなど）、２３Ａは携帯端末に搭載されたＩＣチップ、２３Ｂは携帯端末に表示される二次元コード乗車券（電子乗車券）、２３Ｃはその二次元コード乗車券２３Ｂに含まれる二次元コード、２４は駅（例えば、店舗に最寄りの駅）、２５は駅２４に設置される券売機、２６は券売機２５に設置される二次元コードリーダ、２８は二次元コード・ＩＣカードリーダライタ２８Ａを有する二次元コード・ＩＣカード自動改札機、２９は二次元コード・ＩＣカード自動改札機２８に接続される乗車券情報伝送装置、３１はその乗車券情報伝送装置２９に接続されるネットワーク、３２はネットワーク３１に接続される乗車券情報管理サーバ、３３は携帯端末情報伝送装置、３４は伝送基地局である。
【００２７】
この実施例では、本発明の二次元コードを活用した交通機関用出改札処理方法において、商業施設としての店舗で買物を行ったときに受け取るレシートに二次元コードクーポンが印刷される点では上記第１実施例と同様であるが、利用者がその二次元コードクーポンを用いて乗車券を入手する際に、利用者が所持する携帯端末を使用する場合について説明する。
【００２８】
なお、以下、（ａ）利用者が所持する携帯端末に、乗車券情報が記録できるＩＣチップが搭載されている場合と、（ｂ）利用者が所持する携帯端末に、乗車券情報が記録できるＩＣチップが搭載されていない場合とに分けて説明する。
（ａ）携帯端末にＩＣチップが搭載されている場合
まず、利用者２０が商業施設としての店舗で買物を行い、その購入金額が一定額を超える場合、店舗では、乗車券に引き換え可能な二次元コードクーポン２２Ａを携帯端末２３に読み取らせることによってＩＣ乗車券（電子乗車券）に引き換えることができ、その電子乗車券情報は、携帯端末２３に搭載されたＩＣチップ２３Ａに記録される。携帯端末２３で読み取った二次元コードクーポン情報は、伝送基地局３４から携帯端末情報伝送装置３３を介して乗車券情報管理サーバ３２に送られる。
【００２９】
次に、利用者２０が駅２４に設置された二次元コード・ＩＣカード自動改札機２８の二次元コード・ＩＣカードリーダライタ２８Ａに携帯端末２３をかざすと、その携帯端末２３でＩＣチップ２３Ａに記録された電子乗車券情報が二次元コード・ＩＣカードリーダライタ２８Ａによって読み取られて、利用者２０は改札を通過して交通機関を利用することができる。
【００３０】
ＩＣ乗車券（電子乗車券）情報を携帯端末２３に記録する方法としては、電子乗車券の情報を乗車券情報管理サーバ３２から携帯端末２３に伝送することにより、携帯端末２３は搭載されているＩＣチップ２３Ａにその情報を書き込む。
（ｂ）携帯端末にＩＣチップが搭載されていない場合
まず、利用者２０が商業施設としての店舗で買物を行い、その購入金額が一定額を超える場合、店舗では、乗車券に引き換え可能な二次元コードクーポン２２Ａをレシート２２に印刷して発行する。利用者２０は、二次元コードクーポン２２Ａを携帯端末２３に読み取らせることによって二次元コード乗車券（電子乗車券）に引き換えることができ、その電子乗車券情報は、二次元コード情報２３Ｃを含む二次元コード乗車券（電子乗車券）２３Ｂとして携帯端末２３に表示される。携帯端末２３で読み取った二次元コードクーポン情報は、伝送基地局３４から携帯端末情報伝送装置３３を介して乗車券情報管理サーバ３２に送られる。
【００３１】
次に、利用者２０が駅２４に設置された二次元コード・ＩＣカード自動改札機２８の二次元コード・ＩＣカードリーダライタ２８Ａに携帯端末２３をかざすと、その二次元コード２３Ｃが二次元コード・ＩＣカードリーダライタ２８Ａによって読み取られ、利用者２０は改札を通過して交通機関を利用することができる。
二次元コード乗車券（電子乗車券）２３Ｂを携帯端末２３に表示させる方法としては、二次元コード乗車券（電子乗車券）の画像イメージをそのまま携帯端末２３に伝送する方法と、画像イメージがあるＷｅｂページへリンク情報を携帯端末２３に伝送し、利用者２０がＷｅｂページに接続することによって画像イメージを表示させる方法とがあるが、いずれの方法を用いてもよい。
【００３２】
第２実施例の携帯端末情報伝送装置３３は、携帯端末２３と乗車券情報管理サーバ３２との情報伝達を行う装置であり、利用者２０が携帯端末２３で読み取らせた二次元コードクーポン２２Ａの情報を乗車券情報管理サーバ３２に伝送するとともに、乗車券情報管理サーバ３２から発行された二次元コード乗車券（電子乗車券）２３Ｂの情報などを伝送基地局３４を介して携帯端末２３に伝送する。なお、乗車券情報伝送装置２９及び乗車券情報管理サーバ３２については、上記した第１実施例と同様である。
【００３３】
なお、この第２実施例では、レシートの二次元コードクーポン２２Ａは、携帯端末２３のバーコード読み取り機能を用いて読み取らせ、この読み取られた情報を携帯端末情報伝送装置３３に送信するようにしている。携帯端末２３にダウンロードすることによって携帯端末２３で利用できようにする。
また、この第２実施例では、自動改札機は二次元コード及びＩＣカードの両方に利用できる二次元コード・ＩＣカード自動改札機２８であるが、二次元コード乗車券専用の自動改札機でも良いし、ＩＣカード専用の自動改札機でも良い。
【００３４】
本発明は、省エネルギー化や効率化などが注目される時代にあって、磁気式乗車券を用いた出改札システムより、省エネルギー化や省メンテナンス化が期待できる二次元コードを活用した交通機関用出改札処理方法及びそのシステムの構築に資することができる。
なお、本発明は上記実施例に限定されるものではなく、本発明の趣旨に基づき種々の変形が可能であり、これらを本発明の範囲から排除するものではない。
【産業上の利用可能性】
【００３５】
本発明の二次元コードを活用した交通機関用出改札処理方法は、商業施設の利用者に対して、商業施設の最寄り駅から自宅の最寄り駅までの乗車券を無償で提供する二次元コードを活用した交通機関用出改札処理方法として利用可能である。
【符号の説明】
【００３６】
１    商業施設としての店舗
Ａ    最寄りの駅
Ｂ〜Ｅ    駅
２，２１    店舗のレジスター
３，２２    レジスターから発行されるレシート
３Ａ，２２Ａ    二次元コードクーポン
４    利用者
１１，２４    店舗に最寄りの駅（Ａ）
１２，２５    駅に設置される券売機
１３，２６    券売機に設置される二次元コードリーダ
１４    乗車券の購入ボタン
１５    二次元コード乗車券（紙券）
１５Ａ    二次元コード
１６    二次元コード自動改札機
１６Ａ    二次元コードリーダ
１７，２９    乗車券情報伝送装置
１８，３１    ネットワーク
１９，３２    乗車券情報管理サーバ
２０    携帯端末を持った利用者
２３    携帯端末
２３Ａ    ＩＣチップ
２３Ｂ    二次元コード乗車券（電子乗車券）
２３Ｃ    二次元コード
２８    二次元コード・ＩＣカード自動改札機
２８Ａ    二次元コード・ＩＣカードリーダライタ
３３    携帯端末情報伝送装置
３４    伝送基地局
【図１】
2013210789.tif 000003
【図２】
2013210789.tif 000004
【図３】
2013210789.tif 000005
【図４】
2013210789.tif 000006
【図５】
2013210789.tif 000007